(57)【要約】【課題】赤発光ＬＥＤと緑発光ＬＥＤと青発光ＬＥＤを光源とするバックライトを有する表示装置における、白バランスのずれから規定される表示装置の寿命を長くする。【解決手段】導光板２０のサイドに赤発光ＬＥＤ、緑発光ＬＥＤ、青発光ＬＥＤを有するＬＥＤユニット３１と緑発光ＬＥＤと青発光ＬＥＤのみを有するＬＥＤユニット３２が配置されている。規定電流を流した場合は、赤発光ＬＥＤの輝度寿命が最も長い。青発光ＬＥＤと緑発光ＬＥＤには、規定電流よりも小さな電流を流すことによって、青発光ＬＥＤと緑発光ＬＥＤの輝度寿命を長くする。しかし、青発光ＬＥＤと緑発光ＬＥＤの数は赤発光ＬＥＤの数よりも多いので、所定の色度を確保することができる。これによって、白バランスのずれから規定される表示装置の寿命を長くすることが出来る。【選択図】図２
2014082037.tif 000002
【特許請求の範囲】
【請求項１】
バックライトを有する表示装置であって、
前記バックライトは、第１の波長の光を主として発光する第１のＬＥＤと、第２の波長の光を主として発光する第２のＬＥＤと、第３の波長の光を主として発光する第３のＬＥＤからなる光源を有し、
前記第３のＬＥＤの数は前記第１のＬＥＤの数よりも多く、前記第３のＬＥＤに流す電流の前記第３のＬＥＤの規定電流に対する割合は、前記第１のＬＥＤに流す電流の前記第１のＬＥＤの規定電流に対する割合よりも小さいことを特徴とする表示装置。
【請求項２】
前記第２のＬＥＤの数は前記第１のＬＥＤの数よりも多く、前記第２のＬＥＤに流す電流の前記第２のＬＥＤの規定電流に対する割合は、前記第１のＬＥＤに流す電流の前記第１のＬＥＤの規定電流に対する割合よりも小さいことを特徴とする請求項１に記載の表示装置。
【請求項３】
前記第３のＬＥＤの数は前記第２のＬＥＤの数よりも多く、前記第３のＬＥＤに流す電流の前記第３のＬＥＤの規定電流に対する割合は、前記第２のＬＥＤに流す電流の前記第２のＬＥＤの規定電流に対する割合よりも小さいことを特徴とする請求項２に記載の表示装置。
【請求項４】
前記バックライトは導光板を有し、前記第１のＬＥＤと前記第２のＬＥＤと前記第３のＬＥＤは、前記導光板のサイドに配置されていることを特徴とする請求項２に記載の表示装置。
【請求項５】
前記第１のＬＥＤは赤発光ＬＥＤであり、前記第２のＬＥＤは緑発光ＬＥＤであり、前記第３のＬＥＤは青発光ＬＥＤであることを特徴とする請求項２に記載の表示装置。
【発明の詳細な説明】
【技術分野】
【０００１】
本発明はＬＥＤをバックライトとした表示装置に係り、特に、色シフトに関連する輝度寿命を対策した表示装置に関する。
【背景技術】
【０００２】
表示装置の内、例えば液晶表示装置では画素電極および薄膜トランジスタ（ＴＦＴ）等がマトリクス状に形成されたＴＦＴ基板と、ＴＦＴ基板に対向して、ＴＦＴ基板の画素電極と対応する場所にカラーフィルタ等が形成された対向基板が設置され、ＴＦＴ基板と対向基板の間に液晶が挟持されている。そして液晶分子による光の透過率を画素毎に制御することによって画像を形成している。
【０００３】
液晶表示装置は、薄型、軽量に出来ることから色々な分野に使用されている。液晶は自身では発光しないので、液晶表示パネルの背面にバックライトを配置している。テレビ等、比較的大画面の液晶表示装置には、バックライトとして蛍光管が使用されてきた。しかし、蛍光管は内部に水銀の蒸気が封入されているので地球環境への負荷が大きく、特にヨーロッパ等においては、使用が禁止される傾向にある。
【０００４】
そこで、蛍光管に替わってＬＥＤ（発光ダイオード）をバックライトの光源に使用することが行われ、ＬＥＤ光源を用いた液晶表示装置は、ＴＶ等の大型の表示装置においても、年々増加している。液晶表示装置のバックライトは面光源でなければならないが、ＬＥＤは点光源である。
【０００５】
したがって、点光源であるＬＥＤによって面光源を形成する光学系が必要である。また、ＬＥＤは赤発光ＬＥＤ、緑発光ＬＥＤ、青発光ＬＥＤによって発光特性が異なる。したがって、各色毎にＬＥＤの配置、数等を調整する場合がある。
液晶表示装置以外の表示装置にも、ＬＥＤを用いたバックライトが用いられている。
【０００６】
「特許文献１」には、ＬＥＤのユニットをマトリクス状に配置して面光源を形成する構成が記載されている。また、「特許文献１」には、各ＬＥＤユニットにおいて、赤発光ＬＥＤ、緑発光ＬＥＤ、青発光ＬＥＤの数を異ならせることによって、各ＬＥＤユニットから放射される光を白色とする構成が記載されている。すなわち、青発光ＬＥＤの発光効率が最も低いので、各ＬＥＤユニットにおける青発光ＬＥＤの数を他の色のＬＥＤの数よりも多くしている。「特許文献１」では、青発光ＬＥＤの発光効率が悪いので、青発光ＬＥＤの数を多くするのであり、したがって、青発光ＬＥＤの電流は、最大輝度を得られるように規定電流を流すものと考えられる。すなわち、ＬＥＤの数は光源の原価に大きな影響をもつので、青発光ＬＥＤの数を増やすにしても、増やす数は最小限に抑えるからである。
【０００７】
「特許文献２」には、赤発光ＬＥＤ、緑発光ＬＥＤ、青発光ＬＥＤを有するＬＥＤユニットをマトリクス状に配置した光源において、ＬＥＤユニット内の赤発光ＬＥＤ、緑発光ＬＥＤ、青発光ＬＥＤの数を異ならせて、画面全面において、所定の色度の白色を表示する構成が記載されている。
【０００８】
「特許文献３」には、赤発光ＬＥＤと緑発光ＬＥＤと青白発光ＬＥＤのＬＥＤを用いたサイドライト方式のバックライトにおいて、青白発光ＬＥＤにおける赤スペクトル成分および緑スペクトル成分を利用することによって、青白発光ＬＥＤの数を減らす構成が記載されている。
【先行技術文献】
【特許文献】
【０００９】
【特許文献１】特開平７−１２９０９７号公報
【特許文献２】特開２００８−１０３９２号公報
【特許文献３】特開２００９−９９３３４号公報
【発明の概要】
【発明が解決しようとする課題】
【００１０】
表示装置のバックライトとして使用されるＬＥＤは、白色を表示するために、白色のＬＥＤを使用する場合と、赤発光ＬＥＤ、緑発光ＬＥＤ、青発光ＬＥＤを用いて白色表示する場合がある。白色ＬＥＤは、紫外線発光のＬＥＤ、あるいは、青発光ＬＥＤを用い、蛍光体等の色変換材料を用いて白色表示している。一方、赤発光ＬＥＤ、緑発光ＬＥＤ、青発光ＬＥＤを用いる場合は、赤発光、緑発光、青発光を混合して白色を作り出している。
【００１１】
ＬＥＤの数は、バックライトの原価に影響を与えるので、最小限の数のＬＥＤを用いる方法が用いられていた。すなわち、各色のＬＥＤとも、規定電流の電流を流し、もし、各ＬＥＤを均等に配置した場合に、所定の色度を得られない場合は、「特許文献１」に記載のように、発光色が不足するＬＥＤの数を増加する構成が用いられていた。
【００１２】
このように、初期の白色色度を得るために、ＬＥＤユニット内の色毎のＬＥＤの数を変化させることは従来から行われていた。しかし、ＬＥＤは、各色ごとに、寿命特性が異なる。例えば、所定の色が他の色よりも早く輝度が劣化すると、所定の白色色度が得られなくなる。そうすると、画像の再現性が劣化し、その表示装置は使用できなくなる。つまり、従来は、白色色度の変化によっても表示装置の寿命特性が影響を受けていた。
【００１３】
したがって、表示装置の寿命は、３色のＬＥＤのうち、最も寿命特性の悪い、つまり、最も早く輝度劣化が生ずるＬＥＤによって決められていた。実際には、青発光ＬＥＤが最も輝度寿命が短く、次いで緑発光ＬＥＤの輝度寿命が短く、赤発光ＬＥＤの輝度寿命が最も長い。したがって、従来は、青発光ＬＥＤによって、表示装置の寿命が決められていた。
【００１４】
図７は、従来の表示装置において、赤発光ＬＥＤ、緑発光ＬＥＤ、青発光ＬＥＤを用いて白色を形成した場合の輝度の変化を示すグラフである。図７において、横軸はＬＥＤの駆動時間、縦軸は、各ＬＥＤの輝度である。図７においては、赤発光ＬＥＤ、緑発光ＬＥＤ、青発光ＬＥＤとも、規定電流を流すことによって、白色の輝度を得ている。図７における規定電流１００％とは、規定電流をＬＥＤに流しているという意味である。規定電流の定義は後で説明する。
【００１５】
図７において、約１００００時間までは、赤発光ＬＥＤ、緑発光ＬＥＤ、青発光ＬＥＤとも輝度劣化は殆ど無い。したがって、表示装置は所定の色度を確保している。しかし、１００００時間を過ぎたところで、青発光ＬＥＤの輝度が劣化を始める。そうすると、画面全体は、所定の色度からシフトして、マゼンダに近い色となる。すなわち、色再現性が劣化する。
【００１６】
図７において、さらに動作を続けると、約１２０００時間程で緑発光ＬＥＤの輝度劣化が始まる。そうすると画面はさらに赤成分の多い白色となり、所定の白色度からのシフトがより大きくなる。このような白色色度のシフトが生ずると、正確な画像再現ができなくなるので、特に医療系で用いられる表示装置、例えば液晶表示装置においては、重要な問題となる。したがって、従来は、輝度寿命の最も短い青発光ＬＥＤの輝度寿命によって表示装置の寿命が決められていた。
【００１７】
この問題は、青発光ＬＥＤあるいは緑発光ＬＥＤの輝度寿命を長くすれば、解決することが出来るが、ＬＥＤの輝度寿命の改善は、簡単には出来ない。本発明の課題は、赤発光ＬＥＤ、緑発光ＬＥＤ、青発光ＬＥＤにおいて、輝度寿命が異なる場合においても、表示装置の寿命が輝度寿命が最も短いＬＥＤによって律速されない表示装置を得ることである。すなわち、輝度寿命が最も短いＬＥＤの寿命よりも、寿命の長い表示装置を実現することである。
【課題を解決するための手段】
【００１８】
本発明の課題を解決するための主な手段は次のとおりである。
（１）バックライトを有する表示装置であって、
前記バックライトは、第１の波長の光を主として発光する第１のＬＥＤと、第２の波長の光を主として発光する第２のＬＥＤと、第３の波長の光を主として発光する第３のＬＥＤからなる光源を有し、前記第３のＬＥＤの数は前記第１のＬＥＤの数よりも多く、前記第３のＬＥＤに流す電流の前記第３のＬＥＤの規定電流に対する割合は、前記第１のＬＥＤに流す電流の前記第１のＬＥＤの規定電流に対する割合よりも小さいことを特徴とする表示装置。
【００１９】
（２）前記第２のＬＥＤの数は前記第１のＬＥＤの数よりも多く、前記第２のＬＥＤに流す電流の前記第２のＬＥＤの規定電流に対する割合は、前記第１のＬＥＤに流す電流の前記第１のＬＥＤの規定電流に対する割合よりも小さいことを特徴とする（１）に記載の表示装置。
【００２０】
（３）前記第３のＬＥＤの数は前記第２のＬＥＤの数よりも多く、前記第３のＬＥＤに流す電流の前記第３のＬＥＤの規定電流に対する割合は、前記第２のＬＥＤに流す電流の前記第２のＬＥＤの規定電流に対する割合よりも小さいことを特徴とする（２）に記載の表示装置。
【００２１】
（４）前記バックライトは導光板を有し、前記第１のＬＥＤと前記第２のＬＥＤと前記第３のＬＥＤは、前記導光板のサイドに配置されていることを特徴とする（２）に記載の表示装置。
【００２２】
（５）前記第１のＬＥＤは赤発光ＬＥＤであり、前記第２のＬＥＤは緑発光ＬＥＤであり、前記第３のＬＥＤは青発光ＬＥＤであることを特徴とする（２）に記載の表示装置。
【発明の効果】
【００２３】
本発明によれば、輝度寿命の短い青発光ＬＥＤあるいは緑発光ＬＥＤに流す電流を規定電流よりも小さくし、青発光ＬＥＤあるいは緑発光ＬＥＤの輝度寿命を長くすることによって、白色色度のシフトを抑えることが出来るので、表示装置の寿命を長くすることが出来る。
【図面の簡単な説明】
【００２４】
【図１】液晶表示装置の分解斜視図である。
【図２】本発明による導光板とＬＥＤの配置を示す平面図である。
【図３】ＬＥＤに流す電流とＬＥＤの輝度寿命の関係を示すグラフである。
【図４】本発明による表示装置の寿命を示すグラフである。
【図５】ＬＥＤの規定電流の測定装置である。
【図６】本発明の第２の実施例による導光板とＬＥＤの配置を示す平面図である。
【図７】従来例による表示装置の寿命を示すグラフである。
【図８】ＬＥＤに流す電流とＬＥＤの輝度の関係を示すグラフである。
【発明を実施するための形態】
【００２５】
以下、本発明の内容を、実施例を用いて詳細に説明する。
【実施例１】
【００２６】
図１は本発明による表示装置の一例として示す、液晶表示装置の分解斜視図である。図１において、ＴＦＴや画素電極がマトリクス状に配置されたＴＦＴ基板１１とカラーフィルタ等が形成された対向基板１２とが図示しない接着材を介して接着している。ＴＦＴ基板１１と対向基板１２との間には図示しない液晶が挟持されている。
【００２７】
ＴＦＴ基板１１の下側には下偏光板１４が、対向基板１２の上側には上偏光板１３が貼り付けられている。ＴＦＴ基板１１、対向基板１２、下偏光板１４、上偏光板１３が接着された状態のものを液晶表示パネル１０と称する。液晶表示パネル１０の背面にはバックライトが配置されている。バックライトは光源部と種々の光学部品とから形成されている。
【００２８】
図１において、バックライトは液晶表示パネル１０に近い順に光学シート群１６、導光板２０、導光板２０のサイドに配置されたＬＥＤユニット３０、導光板２０の下面に配置された図示しない反射シート等から構成されている。本バックライトは、導光板２０のサイドにＬＥＤユニット３０が配置されたサイドライト型のバックライトである。
【００２９】
ここで、ＬＥＤユニット３０とは、赤発光ＬＥＤ、緑発光ＬＥＤ、青発光ＬＥＤ等の単色のＬＥＤを含むものを言う。ＬＥＤユニット３０は、３色のＬＥＤが1個ずつ配置された場合もあるし、２色のＬＥＤが配置された場合もあるし、所定の色のＬＥＤが他のＬＥＤよりも数が多くなっていて、例えば、４個のＬＥＤが配置されている場合もある。ＬＥＤユニット３０に含まれるＬＥＤは、２個。３個、４個の場合に限らず、ＬＥＤの数がより多い場合もありうる。
【００３０】
図１における光学シート群は、拡散シート１５が３枚重ねられたものである。光学シート群１６は、これに限らず、いわゆるプリズムシートを含む場合もある。また、プリズムシートは異なる方向に発散する光を液晶表示パネル側に集めるために２枚使用される場合もあるし、拡散シートも２枚使用される場合もある。
【００３１】
光学シート群１６は、導光板２０の上に載置される。導光板２０は、多数のＬＥＤユニット３０からの光を均一な面光源として液晶表示パネル１０側に向ける役割を有する。導光板２０の形状は薄い平板状である。導光板２０の下面には、図示しない反射シートが配置され、導光板２０において下方に向かう光を反射して液晶表示パネル１０側に向ける働きを有する。
【００３２】
図２は、導光板２０とその側面に配置されるＬＥＤユニット３０を示す平面模式図である。図２において、導光板２０の側面に配置されたＬＥＤユニットは、赤発光ＬＥＤ、緑発光ＬＥＤ、青発光ＬＥＤを有するＬＥＤユニット３１と、緑発光ＬＥＤと青発光ＬＥＤのみを有するＬＥＤユニット３２から構成されている。
【００３３】
赤発光ＬＥＤ、緑発光ＬＥＤ、青発光ＬＥＤのうち、輝度寿命が最も短いのは、青発光ＬＥＤであり、その次に短いのが緑発光ＬＥＤである。したがって、赤発光ＬＥＤ、緑発光ＬＥＤ、青発光ＬＥＤを各１個有するＬＥＤユニット３１のみを用いると、白色バランスの関係から、表示装置の寿命は、青発光ＬＥＤの寿命によって決められてしまう。
【００３４】
本発明では、赤発光ＬＥＤ、緑発光ＬＥＤ、青発光ＬＥＤを各１個有するＬＥＤユニット３１においては、輝度寿命の短い青発光ＬＥＤおよび緑発光ＬＥＤに流す電流は、規定電流よりも小さくする。ＬＥＤに流す電流を小さくすると、図３に示すように、動作時間に対する輝度の劣化は小さくなる。
【００３５】
図３において、横軸は、ＬＥＤに流す電流の規定電流に対する割合である。縦軸は、輝度劣化を生じない動作時間である。輝度劣化を生じないとは、白色バランスに対して影響するほど、輝度が変化しないことを言う。図３において、ＬＥＤに流す電流を規定電流とすると、輝度寿命を決める動作時間は１００００時間である。ＬＥＤに流す電流を規定電流の７０％とすると、輝度寿命を決める動作時間は２００００時間である。ＬＥＤに流す電流を規定電流の５０％とすると、輝度寿命を決める動作時間は４００００時間である。このように、ＬＥＤに流す電流を小さくすることによって、ＬＥＤの動作時間を大幅に長くすることが出来る。
【００３６】
本発明は、青発光ＬＥＤおよび緑発光ＬＥＤに流す電流を規定値よりも小さくすることによって青発光ＬＥＤと緑発光ＬＥＤの輝度寿命を決める動作時間を延ばすことによって、表示装置全体の寿命を延ばしている。青発光ＬＥＤに流す規定電流に対する電流は緑発光ＬＥＤに流す規定電流に対する電流よりも小さくすることによって、表示装置の寿命をより延ばすことが出来る。
【００３７】
しかしながら、このように、赤発光ＬＥＤ、緑発光ＬＥＤ、青発光ＬＥＤを各１個ずつ有するＬＥＤユニットのみを用いて、光源を構成すると、青発光ＬＥＤおよび緑発光ＬＥＤからの発光量が少なくなるので、画面の白色は、赤みがかったマゼンダ系の色度となり、所定の白色色度を得られない。
【００３８】
そこで、本発明は、図２に示すように、赤発光ＬＥＤ、緑発光ＬＥＤ、青発光ＬＥＤを各１個ずつ有するＬＥＤユニット３１とともに青発光ＬＥＤおよび緑発光ＬＥＤのみを有するＬＥＤユニット３２を配置して、所定の白色色度を得ている。図２においては、赤発光ＬＥＤ、緑発光ＬＥＤ、青発光ＬＥＤを各１個ずつ有するＬＥＤユニット３１の間に青発光ＬＥＤおよび緑発光ＬＥＤのみを有するＬＥＤユニット３２を配置している。図２は、配置の例であり、実際には、画面の大きさ等によって、適切な配置をとることが出来る。
【００３９】
図４は、本発明を適用した表示装置の輝度寿命を示すグラフである。図４において、横軸は、表示装置の動作時間であり、縦軸は、表示装置の画面における赤、緑、青の輝度の変化である。図４の表示装置におけるバックライトにおいて、赤発光ＬＥＤには、規定電流の１００％の電流を流し、緑発光ＬＥＤには規定電流の７０％の電流を流し、青発光ＬＥＤには規定電流の７０％の電流を流している。
【００４０】
このように、青発光ＬＥＤおよび緑発光ＬＥＤに規定電流よりも小さい電流を流しているので、青輝度、緑輝度の寿命は大幅に改善し、当初の白バランスがくずれるまでの動作時間は２００００時間となっている。これは、本発明を適用する前の表示装置の特性を示す図７に比べて、白バランスがくずれるまでの時間は２倍となっている。
【００４１】
図４においても、青発光ＬＥＤが最も早く輝度の劣化が始まる。したがって、青発光ＬＥＤに流す電流を規定電流の７０％よりも下げることによって、さらに表示装置の寿命を延ばすことが出来る。また、緑発光ＬＥＤの輝度劣化も赤発光ＬＥＤに比べて短いので、緑発光ＬＥＤに流す規定電流に対する電流を７０％以下とし、かつ、青発光ＬＥＤに流す規定電流に対する電流よりも大きくすることによって、表示装置の寿命をさらに延ばすことが出来る。
【００４２】
このように、本発明では、各ＬＥＤに流す、規定電流に対する電流が重要なファクターとなる。図８は各ＬＥＤの電流と輝度の関係を示す。ＬＥＤの発光原理はＬＥＤ素子内に注入された電子とホールの再結合によって光を発するため，電流が小さいところでは輝度と電流が比例関係にある。しかし，高い輝度を得るために電流を増やしていくと発光に寄与しない電流成分が増えるために徐々に比例関係から外れていく。具体的には赤発光ＬＥＤの電流−輝度特性８１がもっとも比例関係８４を維持し，続いて緑発光ＬＥＤの電流−輝度特性８２，青発光ＬＥＤの電流−輝度特性８３の順に比例関係８４から外れやすくなる。比例関係から外れた差異，例えば赤発光ＬＥＤの電流−輝度特性８１と比例関係８４の差異８５は発熱に関与し，その発熱によってＬＥＤ素子が破壊される。したがって，差異８５はある程度以下に抑える必要がある。差異８５はおよそ２０％以下にすることが望ましい。
【００４３】
図５は、ＬＥＤの輝度と色度を測定する装置である。図５において、赤発光ＬＥＤ、緑発光ＬＥＤ、青発光ＬＥＤを１個ずつ有するＬＥＤユニット（以下ＲＧＢ−ＬＥＤという）を積分球５０３内に設置し、検出器５０４に直接光が入らないように遮光板５０５を配置する。ＲＧＢ−ＬＥＤ３１からの出射光５０２は積分球５０３内壁で多重散乱した上で、検出器５０４に入射し、輝度と色度の測定が行われる。このとき，ＲＧＢ−ＬＥＤ３１のチップ間距離に対して積分球の大きさが十分大きいので、ＲＧＢは混色された上で、検出器５０４で測定される。図８に示した赤発光ＬＥＤの電流−輝度特性８１と比例関係８４の差異８５がおよそ２０％程度となるように赤発光ＬＥＤの発光を設定した上で，緑発光ＬＥＤと青発光ＬＥＤを発光させ，検出器５０４において混色した光の色度がＤ６５（ｘ：０．３１３、ｙ：０．３２９）となるように各ＬＥＤに電流を流す。このとき，各ＬＥＤに流す電流を規定電流と定義する。
【００４４】
このようにして測定された規定電流を用いて、図３に示すようなグラフを用いることによって、表示装置全体としての白バランスによって決められる寿命を設計することが出来る。なお、図３のグラフは、加速試験によっても得ることが出来る。
【実施例２】
【００４５】
図６は本発明の第２の実施例を示す平面図である。図６において、導光板の側面に配置されたＬＥＤユニットは、赤発光ＬＥＤ、緑発光ＬＥＤが各々１個と、青発光ＬＥＤが２個配置されたＬＥＤユニット３３と、赤発光ＬＥＤ、青発光ＬＥＤが各々１個と、緑発光ＬＥＤが２個配置されたＬＥＤユニット３４との２種類が用いられている。ＬＥＤユニット３３とＬＥＤユニット３３の間にＬＥＤユニット３４が配置されている。
【００４６】
ここで、ＬＥＤユニット３３およびＬＥＤユニット３４に規定電流を流すと、画面は、シアン系の青みがかった白色となるので、青発光ＬＥＤおよび緑発光ＬＥＤに流す電流を規定電流よりも小さくすることによって、所定の白色を得ている。逆に、青発光ＬＥＤ、緑発光ＬＥＤに流す電流を規定電流よりも小さくすることが出来るので、青発光ＬＥＤおよび緑発光ＬＥＤの輝度寿命を延ばすことが出来、表示装置全体として白色バランスから規定される寿命を延ばすことが出来る。図６は、配置の例であり、実際には、画面の大きさ等によって、適切な配置および、各色のＬＥＤの数を規定することが出来る。
【００４７】
以上の実施例では、赤発光ＬＥＤに流す電流は、赤発光ＬＥＤの規定電流であり、青発光ＬＥＤに流す電流は、青発光ＬＥＤの規定電流よりも小さく、緑発光ＬＥＤに流す電流は、緑発光ＬＥＤの規定電流よりも小さいとして説明した。しかし、赤発光ＬＥＤに流す電流を赤発光ＬＥＤの規定電流よりも小さくしてもよい。例えば、青発光ＬＥＤに流す電流の青発光ＬＥＤの規定電流に対する割合を、赤発光ＬＥＤに流す電流の赤発光ＬＥＤの規定電流に対する割合よりも小さくすることによって、表示装置全体としての、白バランスから規定される寿命を長くすることが出来る。緑発光ＬＥＤの場合も同様である。
【００４８】
以上の実施例では、図１に示すような導光板のサイドにＬＥＤユニットを配置したサイドライト型のバックライトを有する表示装置について説明した。しかし、本発明は、サイドライト型バックライトのみでなく、拡散板を有する直下型の光源としても用いることが出来る。すなわち、直下型の光源では、ＬＥＤユニットを面状に配置する必要があるが、青発光ＬＥＤあるいは緑発光ＬＥＤに規定電流よりも小さな電流を流すことによって青発光ＬＥＤあるいは緑発光ＬＥＤの輝度寿命を長くすることが出来、その結果、表示装置全体としての、白バランスから規定される寿命を長くすることが出来ることは同様だからである。
【００４９】
表示装置におけるカラー表示はカラーフィルタを用いて行うのが一般的である。カラーフィルタ方式では、たとえば、赤表示の場合、緑、青等の光はフィルタでブロックされ、バックライトの光のエネルギーの１/３しか使用できないので、エネルギー効率が悪い。緑表示、青表示等も同様である。
【００５０】
これに対して、いわゆるフィールドシーケンシャルによる駆動方法は、カラーフィルタを使用しないので、バックライトのエネルギー効率が優れている。しかし、フィールドシーケンシャルにおいては、原理的に白色光は使用することができず、赤、緑、青の単色のＬＥＤを時間差で点灯させる必要がある。本発明は、赤、緑、青の単色のＬＥＤを用いるので、フィールドシーケンシャル方式の表示装置について特に効果がある。
【００５１】
以上の説明では、青発光ＬＥＤの輝度寿命が最も短く、緑発光ＬＥＤの輝度寿命がその次に短く、赤発光ＬＥＤの輝度寿命が最も長いとして説明した。しかし、今後、開発によって各ＬＥＤの輝度寿命の関係が変化し、青発光ＬＥＤや緑発光ＬＥＤの輝度寿命が赤発光ＬＥＤの輝度寿命よりも大きくなる可能性もある。この場合は、以上の説明とは逆に、赤発光ＬＥＤに流す電流を規定電流よりも小さくすることによって、表示装置全体の白バランスから規定される寿命を長くすることが出来る。
【符号の説明】
【００５２】
１０…液晶表示パネル、  １１…ＴＦＴ基板、  １２…対向基板、  １３…上偏光板、  １４…下偏光板、  １５…拡散シート、  １６…光学シート群、  ２０…導光板、  ３０…ＬＥＤユニット、  ３１…ＲＧＢ−ＬＥＤユニット、  ３２…ＧＢ−ＬＥＤユニット、  ３３…ＢＲＧＢ−ＬＥＤユニット、  ３４…ＧＲＧＢ−ＬＥＤユニット、  ５００…規定電流測定装置、  ５０２…出射光、  ５０３…積分球、  ５０４…検出器、  ５０５…遮光板、  ８１、８２、８３…電流−輝度特性、８４…比例関係、８５…差異
【図１】
2014082037.tif 000003
【図２】
2014082037.tif 000004
【図３】
2014082037.tif 000005
【図４】
2014082037.tif 000006
【図５】
2014082037.tif 000007
【図６】
2014082037.tif 000008
【図７】
2014082037.tif 000009
【図８】
2014082037.tif 000010